(57)【特許請求の範囲】
【請求項１】
投射型表示装置の光変調手段を照明するために用いられる照明装置であって、
光源と、上記光源の光量を調節する調光手段とを備え、
上記調光手段は、上記光源の光量を映像情報に基づいて設定する光量設定手段と、減光が許容される減光範囲を利用情報に基づいて設定する減光範囲設定手段とを有し、
上記調光手段は、設定された光量に基づいて上記光源の光量を調節するとともに、上記設定された光量における減光量が上記減光範囲を超える場合には、上記減光範囲を超える減光を禁止することを特徴とする、照明装置。
【請求項２】
上記設定された光量における減光量が上記減光範囲を超える場合には、光源は上記減光範囲内となる減光量によりその光量を調節されることを特徴とする、請求項１記載の照明装置。
【請求項３】
上記利用情報が手動で指定可能とされたことを特徴とする、請求項１又は２記載の照明装置。
【請求項４】
投射映像の視聴環境の明るさを検出する明るさ検出手段を備え、
上記減光範囲設定手段は視聴環境の明るさに基づいて上記減光範囲を設定することを特徴とする、請求項１又は２記載の照明装置。
【請求項５】
投射映像の表示されるスクリーンのゲインを検出するゲイン検出手段を備え、
上記減光範囲設定手段は上記ゲインに基づいて上記減光範囲を設定することを特徴とする、請求項１又は２記載の照明装置。
【請求項６】
請求項１〜５のいずれかの項に記載の照明装置と、
上記照明装置から射出される光を変調して映像光を形成する光変調手段と、
上記映像光を投射する投射手段とを備えたことを特徴とする、投射型表示装置。
【請求項７】
上記光源の減光量に基づいて上記映像信号を伸長する映像信号伸長手段を備えたことを特徴とする、請求項６記載の投射型表示装置。
【請求項８】
上記映像信号伸長手段は、上記光量設定手段で設定された光量における減光量が上記減光範囲内に含まれる場合には、上記光量の逆数となる伸長量で上記映像信号を伸長し、上記設定された光量における減光量が上記減光範囲外にある場合には、上記逆数よりも大きな伸長量で上記映像信号を伸長することを特徴とする、請求項７記載の投射型表示装置。
【請求項９】
請求項７又は８記載の投射型表示装置の駆動方法であって、
減光の許容される減光範囲を利用情報に基づいて設定し、
単位時間の映像信号に基づいて光源の光量を上記範囲内で調節するとともに、上記映像信号を上記光源の減光量に基づいて伸長し、この伸長された映像信号を上記光変調手段に供給することにより映像を形成することを特徴とする、投射型表示装置の駆動方法。
【発明の詳細な説明】
【０００１】
【発明の属する技術分野】
本発明は、照明装置と、これを備えた投射型表示装置及びその駆動方法に関し、特に映像表現力に優れた投射型表示装置とそれに用いる照明装置に関するものである。
【０００２】
【従来の技術】
近年、情報機器の発達はめざましく、解像度が高く、低消費電力でかつ薄型の表示装置の要求が高まり、研究開発が進められている。中でも液晶表示装置は液晶分子の配列を電気的に制御して光学的特性を変化させることができ、上記のニーズに対応できる表示装置として期待されている。このような液晶表示装置の一形態として、液晶ライトバルブを用いた光学系から射出される映像を投射レンズを通してスクリーンに拡大投射する投射型表示装置（液晶プロジェクタ）が知られている。
投射型表示装置は光変調手段として液晶ライトバルブを用いたものであるが、投射型表示装置には、液晶ライトバルブの他、デジタルミラーデバイス（Digital Mirror Device,以下、ＤＭＤと略記する）を光変調手段としたものも実用化されている。ところが、この種の従来の投射型表示装置は以下のような問題点を有している。
【０００３】
（１）光学系を構成する様々な光学要素で生じる光漏れや迷光のため、充分なコントラストが得られない。そのため、表示できる階調範囲（ダイナミックレンジ）が狭く、陰極線管（Cathode Ray Tube, 以下、ＣＲＴと略記する）を用いた既存のテレビ受像機に比較すると、映像の品質や迫力の点で劣ってしまう。
（２）各種の映像信号処理により映像の品質向上を図ろうとしても、ダイナミックレンジが固定されているために、充分な効果を発揮することができない。
【０００４】
このような投射型表示装置の問題点に対する解決策、つまりダイナミックレンジを拡張する方法としては、映像信号に応じて光変調手段（ライトバルブ）に入射させる光の量を変化させることが考えられる。その手段として、従来、光源の前面に光量調節手段（調光手段）を設ける構造が提案されている（例えば特許文献１）。
【０００５】
【特許文献１】
特開平５−６６５０１号公報
【０００６】
【発明が解決しようとする課題】
上述のように表示映像の内容（例えば明るさ）に応じて照明光量と表示映像の明るさとを変化させる適応型の調光制御は、コントラストの向上や階調再現性の点で効果があるが、その一方でハイライト部の階調つぶれや輝度不足等が生じ易くなる。このため、映画のように概ね暗い映像が多いときには効果的であるが、スポーツ中継のように明るい映像が多いときには効果が期待できず、チラツキの発生によりむしろネガティブな働きをしかねない。
また、投射映像を明るい環境で視聴する場合、シャドウ部の表示特性向上はあまり目立たず、輝度不足によってかえってコントラストの低下が感じられることがある。
【０００７】
本発明は、上記の課題に鑑みて創案されたものであり、映像の種類や周囲の明るさ等に応じて適切な調光が可能な投射型表示装置及びその駆動方法とこれに用いる照明装置を提供することを目的とする。
【０００８】
【課題を解決するための手段】
上述のように適応型の調光制御は映像表現力を高める上で極めて有効であるが、その一方で、装置の利用状況を考慮せずに常に同じ条件で調光が行なわれることで、場合によっては照明光量が過剰に調節され、視聴者にストレスを与えることがある。そこで、本発明者はこのような調光の不具合を緩和すべく、利用状況に関する情報（利用情報）を調光制御のパラメータに取り入れ、光源の光量をこの利用情報に基づいて制御する構想に想い到った。
【０００９】
すなわち、上記の目的を達成するために、本発明の照明装置は、投射型表示装置の光変調手段を照明するために用いられる照明装置であって、光源と、上記光源の光量を調節する調光手段とを備え、上記調光手段は、上記光源の光量を映像情報に基づいて設定する光量設定手段と、減光が許容される減光範囲を利用情報に基づいて設定する減光範囲設定手段とを有し、上記調光手段は、設定された光量に基づいて上記光源の光量を調節するとともに、上記設定された光量における減光量が上記減光範囲を超える場合には、上記減光範囲を超える減光を禁止することを特徴とする。
ここで、利用情報としては例えば映像の種類，視聴環境の明るさ，スクリーンゲイン，ユーザの好み等に関する情報を挙げることができる。また、本明細書において光源の光量とは、表示に用いられる最大の光量を１００％としたときに、この最大光量からの出力光量の比率をいう。同様に、減光量とは、最大光量からの減光比率をいう。
【００１２】
本構成では、調光手段が、光源の光量を映像情報に基づいて設定する光量設定手段と、減光が許容される減光範囲を利用情報に基づいて設定する減光範囲設定手段とを有し、上記調光手段が、設定された光量に基づいて上記光源の光量を調節するとともに上記減光範囲を超える減光を禁止する（即ち、調光手段は上記減光範囲内においてその光量を調節する）構成を採用している。このため、照明光量を映像情報に基づいて適宜調節することで投射映像のダイナミックレンジの拡大に寄与する一方、映像の種類や視聴環境等に応じて光量の減光範囲を一定の範囲内に制限することで、映像表現力を極力損なうことなく輝度不足等の問題を解消することができる。例えば、視聴環境が明るい場合や、映像自体が明るく調光がかえってネガティブに働く場合等には、減光範囲を通常よりも狭くする（即ち、許容される最大の減光量を小さくする）ことで上述の輝度不足の問題を解消することができる。
【００１３】
なお、設定された光量における減光量が上記減光範囲を超える場合には、光量制御を停止する、或いは、減光範囲内となる減光量により光源の光量を調節する方法にいずれを用いてもよい。
【００１４】
ところで、上記利用情報の入力形態としては、ユーザが手動で指定可能な形態、又は、装置自身に設けられたセンサによって自動で検出される形態のいずれでもよい。
【００１５】
利用情報が自動で検出される例としては、装置が投射映像の視聴環境の明るさ（例えば、装置周囲の明るさやスクリーン周囲の明るさ）を検出する明るさ検出手段を備え、上記調光範囲設定手段が視聴環境の明るさに基づいて上記範囲を設定する構成が挙げられる。本構成では、例えば視聴環境が明るくなる程、減光範囲を狭く（即ち、許容される最大の減光量を小さく）することで、周囲が明るい場合には通常よりも映像を全体的に明るく表示できる。このため、明るい部屋でも輝度不足を感じることなく高品質な投射映像を楽しむことができる。
【００１６】
また、他の例として、装置が投射映像の表示されるスクリーンのゲインを検出するゲイン検出手段を備え、上記調光範囲設定手段が上記ゲインに基づいて調光範囲を設定する構成を挙げることができる。調光による階調再現効果は、投射映像のコントラストが大きくなる程大きくなる。このような映像のコントラストは表示装置自体の性能だけでなく、それを投射するスクリーンによっても変わり、例えばスクリーンゲインが大きいものでは映像のコントラストは大きく、逆にゲインの小さいものでコントラストは小さくなる。このため、本構成のようにスクリーンゲインに応じて調光量を調節することで、スクリーンの違いに依らずに常に同じ品質の投射映像を得ることができる。
【００１７】
また、本発明の投射型表示装置は、上述の照明装置と、上記照明装置から射出される光を変調して映像光を形成する光変調手段と、上記映像光を投射する投射手段とを備えたことを特徴とする。本構成によれば、利用状況に応じて適切な調光が行なわれることで、ユーザに対して常に高品質な映像を提供することができる。
【００１８】
この投射型表示装置の駆動手段としては、上記光源の減光量に基づいて上記映像信号を伸長する映像信号伸長手段を備えることが望ましい。この構成では、まず、減光範囲設定手段によって減光の許容される減光範囲が利用情報に基づいて設定される。そして、単位時間の映像信号に基づいて上記光源の光量がこの減光範囲内において調節される一方、上記映像信号が上記光源の減光量に基づいて伸長され、この伸長された映像信号が上記光変調手段に供給されることで映像が形成される。これにより、投射型表示装置のダイナミックレンジを拡張でき、映像表現力や使用環境への順応性に優れた投射型表示装置を実現することができる。
【００１９】
この場合、上記映像信号の伸長量は、上記光量設定手段で設定された光量における減光量が上記減光範囲内に含まれる場合には上記光量の逆数となる伸長量で上記映像信号を伸長し、上記設定された光量における減光量が上記減光範囲外にある場合には上記逆数よりも大きな伸長量で上記映像信号を伸長することが望ましい。
【００２０】
減光量が制限されない従来の調光制御では、光源の光量は常に設定された減光量によって調節される。このため、伸長された映像信号が表示可能な最大階調以下となるようにするには、伸長量と光量との積は１以下に設定される必要がある。これに対して本発明のように減光が一定以下に制限されるものでは、この制限された減光量に基づいて従来の伸長処理（即ち、伸長量と光量との積が１以下となる処理）を行なっても、映像信号の中で最も階調の大きなものが表示可能な最大階調まで伸長されることはない。つまり、設定された減光量が減光範囲外となる場合には、仮に伸長量と光量との積が１となる条件で伸長処理を行なったとしても、高階調領域に階調の余りが生じ、十分な階調再現性が得られない。このため本構成のように、減光の制限される状態において伸長量と光量との積を１よりも大きくすることで、階調再現性の低下を防止できる。
【００２１】
【発明の実施の形態】
（第１実施形態）
まず、図１〜図８を参照しながら、本発明の第１実施形態に係る投射型表示装置について説明する。
本実施形態の投射型表示装置は、Ｒ（赤）、Ｇ（緑）、Ｂ（青）の異なる色毎に透過型液晶ライトバルブを備えた３板式の投射型カラー液晶表示装置である。図１はこの投射型表示装置を示す概略構成図であって、図中、符号１０Ｒ，１０Ｇ，１０Ｂは本発明の照明装置を構成する３つの光源、２０Ｒ，２０Ｇ，２０Ｂは液晶ライトバルブ（光変調手段）、３０はクロスダイクロイックプリズム、４０は投射レンズ（投射手段）、４１はスクリーンを示している。
【００２２】
光源１０Ｒ，１０Ｇ，１０Ｂはそれぞれ赤色光，緑色光，青色光を出射可能な色光源であり、各光源１０（１０Ｒ，１０Ｇ，１０Ｂ）は、発光ダイオード（ＬＥＤ），有機エレクトロルミネッセンス素子（有機ＥＬ素子），無機エレクトロルミネッセンス素子（無機ＥＬ素子）等の発光体１１と、この発光体１１の出力光を反射するリフレクタ１２とから構成されている。また、ライトバルブ２０Ｒ，２０Ｇ，２０Ｂはそれぞれ光源１０Ｒ，１０Ｇ，１０Ｂに対応して設けられており、光源毎に光変調が可能となっている。
【００２３】
クロスダイクロイックプリズム３０は４つの直角プリズムが貼り合わされた構造を有し、その貼り合わせ面３０ａ，３０ｂには誘電体多層膜からなる光反射膜（図示略）が十字状に形成されている。具体的には、貼り合わせ面３０ａには、光変調装置２０Ｒで形成された赤色の画像光を反射し、それぞれ光変調装置２０Ｇ，２０Ｂで形成された緑色及び青色の画像光を透過する光反射膜が設けられている。一方、貼り合わせ面３０ｂには、光変調装置２０Ｂで形成された青色の画像光を反射し、それぞれ光変調装置２０Ｒ，２０Ｇで形成された赤色及び緑色の画像光を透過する光反射膜が設けられている。そして、これらの光反射膜によって、各液晶ライトバルブ２０Ｒ〜２０Ｂで形成された各色の映像光が合成されてカラー映像を表わす光が形成される。合成された光は投射光学系である投射レンズ４０によりスクリーン４１上に投射され、拡大された映像が表示される。
【００２４】
次に、本実施形態の投射型表示装置の駆動方法について説明する。
図２は本実施形態の投射型表示装置の制御装置６０の構成を示すブロック図である。本実施形態は、映像情報と装置の利用状況に関する情報（利用情報）の双方に基づいて光源の光量を調節できるようにしたものである。このため、本実施形態の投射型表示装置には、外部入力装置として映像信号を入力するための信号入力装置１０１の他に、視聴する映像の種類，周囲の明るさ，ユーザの好み等に応じて光源の減光範囲を設定するためのコントローラ１０２（利用情報入力手段）が設けられている。
【００２５】
コントローラ１０２では、例えば許容される最大の減光量（最大減光量）Ｒｍにより減光範囲が指定されるようになっている。この指定方法としては、ユーザが上記最大減光量Ｒｍを数値により直接入力する構成、或いは、ユーザがメニュー画面に示されたいくつかの減光範囲の中から選択する構成のいずれであってもよい。後者の例としては、例えばメニューを「ノーマル」／「ダイナミック」／「スポーツ」／「調光しない」とし、最大減光量をそれぞれ５０％／７５％／２５％／０％とする構成が考えられる。そして、最大減光量Ｒｍが指定されると、減光範囲は、減光量がこの最大減光量Ｒｍ以下の範囲（即ち、減光量が０〜Ｒｍの範囲）として設定される。この減光範囲に関する情報はユーザコントロール信号として制御装置６０に入力される。
【００２６】
制御装置６０は、映像信号及びユーザコントロール信号に基づいて各光源１０Ｒ〜１０Ｂの光量Ｔ及び各色の映像信号の伸長量Ｐ０を設定する画像解析部（調光手段）６１と、この画像解析部６１で設定された光量Ｔに基づいて光源１０Ｒ〜１０Ｂを駆動する光源制御ドライバ６４と、設定された伸長量Ｐ０に基づいて各色の映像信号を伸長する画像処理部（映像信号伸長手段）６２と、この伸長された各色の映像信号をそれぞれ赤色光用液晶ライトバルブ３０Ｒ（図５中のＲパネル），緑色光用液晶ライトバルブ３０Ｇ（同、Ｇパネル），青色光用液晶ライトバルブ３０Ｂ（同、Ｂパネル）に供給するパネルドライバ６３とを備えている。
【００２７】
画像解析部６１は、図３に示すように、ヒストグラム作成部６１ａとヒストグラム解析部６１ｂと減光範囲設定部６１ｃと光量設定部６１ｄとを備えている。画像解析部６１では、信号入力部１０１から映像信号が入力されると、ヒストグラム作成部６１ａによって単位時間（１フレーム期間）当たりの信号に含まれる画素データの、階調数毎の出現度数分布（ヒストグラム）が作成される。ヒストグラム解析部６１ｂは、このヒストグラムに基づいて映像の明るさを検出し、各光源１０Ｒ〜１０Ｂの光量を設定する。すなわち、ヒストグラム解析部６１ｂは本発明の光量設定手段として機能する。
【００２８】
ここで、ヒストグラムを用いた明るさの検出方法について説明する。この方法には例えば次の３通りが考えられる。
（ａ）注目しているフレームに含まれている画素データのうち、明るさが最大の階調数を上記映像の明るさとする方法。
例えば０〜２５５の２５６ステップの階調数を含む映像信号を想定する。連続した映像を構成する任意の１フレームに着目した場合、そのフレームに含まれる画素データの階調数毎の出現数分布（ヒストグラム）が、図４のようになったとする。この図の場合、ヒストグラムに含まれる最も明るい階調数が１９０であるので、この階調数１９０を上記映像の明るさとする。この方法は、入力される映像信号に対し、最も忠実に明るさを表現できる方法である。
【００２９】
（ｂ）注目しているフレームに含まれている階調数毎の出現数分布（ヒストグラム）より、最大の明るさから出現数について一定の割合（例えば１０％）となる階調数を上記映像の明るさとする方法。
例えば映像信号の出現数分布が図５のようであった場合、ヒストグラムより明るい側から１０％の領域をとる。１０％に相当するところの階調数が２３０であったとすると、この階調数２３０を調光制御信号とする。図５に示したヒストグラムのように、階調数２５５の近傍に突発的なピークがあった場合、上記（ａ）の方法を採用すれば、階調数２５５が調光制御信号となる。しかしながら、この突発的なピーク部分は画面全体における情報としてはあまり意味をなしていない。これに対して、階調数２３０を上記映像の明るさとする本方法は、画面全体の中で情報として意味を持つ領域によって判定する方法と言うことができる。なお、上記の割合は２〜５０％程度の範囲で変化させてもよい。
【００３０】
（ｃ）画面を複数のブロックに分割して、ブロック毎、含まれている画素の階調数の平均値を求め、最大のものを上記映像の明るさとする方法。
例えば図６に示すように、画面をｍ×ｎ個のブロックに分割し、それぞれのブロックＡ１１，…，Ａｍｎ毎の明るさ（階調数）の平均値を算出し、そのうちで最大のものを上記映像の明るさとする。なお、画面の分割数は６〜２００程度とすることが望ましい。この方法は、画面全体の雰囲気を損なうことなく、明るさを制御できる方法である。
【００３１】
上記（ａ）〜（ｃ）の方法について、映像の明るさの判定を、表示領域全体に対して行なう他に、例えば表示領域の中央部分など、特定の部分だけに上記方法を適用することもできる。この場合、視聴者が注目している部分から明るさを決定するような制御の仕方が可能となる。
そして、このようにして例えば階調数１９０が映像の明るさとして検出された場合、最大明るさ（例えば階調数２５５）の光量（最大光量）を１００％とすると、表示ガンマ特性が１．０の場合１９０／２５５＝７５％が光源の光量Ｔ０として仮設定される。
【００３２】
一方、減光範囲設定部（減光範囲設定手段）６１ｃは、減光が許容される範囲（減光範囲）をユーザコントロール信号に基づいて設定する。
そして、設定された光量Ｔ０及び減光範囲は光量設定部６１ｄに入力され、ここで実際の光源制御に用いられる光量Ｔが決定される。具体的には、光量設定部６１ｄでは、仮設定された光量Ｔ０における減光量が減光範囲内に含まれる（即ち、最大減光量Ｒｍ以下である）場合には、この仮設定された光量Ｔ０を実際の光量Ｔとして用いる。一方、上記仮設定された光量Ｔ０における減光量が減光範囲外にある（即ち、最大減光量Ｒｍよりも大きい）場合には、実際の光量Ｔを、最大光量から減光範囲内となる減光量（０以上Ｒｍ以下の減光量）だけ減光した光量に設定する。本実施形態では、例えば最大光量から最大減光量Ｒｍだけ減光した光量を実際の光量Ｔとする。そして、このように設定された光量Ｔは光源制御信号として光源制御ドライバ６４に出力され、光源制御ドライバ６４は、この光源制御信号に基づいて光源１０Ｒ〜１０Ｂの発光量や発光期間等を制御することでその光量を調節する。
【００３３】
また、光量設定部６１ｄは、この実際の光量Ｔに基づいて映像信号の伸長量Ｐ０を設定する。具体的には、仮設定された光量Ｔ０における減光量が減光範囲内に含まれる場合には、この光量Ｔの逆数（１／Ｔ）を伸長量Ｐ０とする。一方、仮設定された光量Ｔ０における減光量が減光範囲外にある場合には、伸長量Ｐ０をこの光量Ｔの逆数（１／Ｔ）よりも大きな値とする。そして、このように設定された伸長量Ｐ０は画像制御信号として画像処理部６２に出力される。
【００３４】
図７，図８は、最大減光量Ｒｍを２５％（即ち、減光範囲を減光量が０％〜２５％の範囲）に設定し、映像の明るさを、ヒストグラムに含まれる最も明るい階調数として求める場合の伸長処理の例について示している。なお、図７，図８では、光源を最大減光量Ｒｍで減光する場合の光量及び伸長量をそれぞれＴｍ，Ｐｍで示している。
【００３５】
１フレーム期間に含まれる画素データの階調数毎のヒストグラムが例えば図７（ａ）のようになったとすると、ヒストグラムに含まれる最も明るい階調数が２１７であるので、映像の明るさはこの階調数２１７とされる。この場合、仮設定された光量Ｔ０の値は２１７／２５５＝８５％となる。この光量Ｔ０における減光量は減光範囲内に含まれるため、光源制御信号として出力される光量Ｔにはこの光量Ｔ０が用いられる。また、伸長量Ｐ０はこの光量Ｔ０を用いて１／Ｔ０＝１．１８に設定される。そして、画像処理部６２での伸長処理により、階調数０〜２１７までの映像信号は階調数０〜２５５階調まで伸長される（図７（ｂ）参照）。
【００３６】
一方、ヒストグラムが図８（ａ）のようになったとすると、ヒストグラムに含まれる最も明るい階調数が１２８であるので、映像の明るさは階調数１２８とされる。この場合、仮設定された光量Ｔ０の値は１２８／２５５＝５０％となる。この光量Ｔ０における減光量は減光範囲外にあるため、光源制御信号として出力される光量Ｔは最大光量から最大減光量Ｒｍだけ減光した光量とされる。また、伸長量Ｐ０は例えば最大減光量Ｒｍを用いて１／（１−Ｒｍ）＝Ｐｍ＝１．３３に設定される。そして、画像処理部６２での伸長処理により、階調数０〜１２８までの映像信号は階調数０〜１７１まで伸長される（図８（ｂ）参照）。
【００３７】
しかし、伸長量をこのように設定すると、映像信号の中で階調数が最大となる画素データであっても、伸長後の階調数は表示可能な最大階調（２５５階調）よりも小さくなる。すなわち、この設定方法では、高階調領域に階調の余りが生じるため、十分な階調再現性が得られない。これを解決するために、図９（ａ）に示すように、伸長量をＰｍよりも大きく且つＰ０よりも小さい値Ｐ′に設定することができる。図９（ａ）は、光量Ｔを維持したまま、伸長量Ｐ′を１．６６とした例を示している。この場合、画像処理部６２での伸長処理により、階調数０〜１２８までの映像信号は階調数０〜２１３まで伸長されるため、階調余りの問題が緩和される（図９（ｂ）参照）。またこの場合、減光量はＲｍのままであるため、結果として映像が全体的に明るくなり、より利用状況に適した表示となる。
【００３８】
このように本実施形態では、調光制御に装置の利用状況に関する情報を取り入れているため、映像の種類や視聴環境の明るさに応じて光源の減光量を最適に調節でき、より実態に即した柔軟な調光制御が可能となる。例えば本実施形態では、光源の減光量を利用情報に基づいて制限しているため、照明光量を映像情報に基づいて適宜調節することで投射映像のダイナミックレンジの拡大に寄与する一方、映像の種類や視聴環境等に応じて光量の減光範囲を一定の範囲内に制限することで、映像表現力を極力損なうことなく輝度不足等の問題を解消することができる。
【００３９】
なお、装置の利用状況を考慮した調光制御としては、本実施形態の方法以外にも、光源の減光量を利用情報に基づいて積極的に増減させる方法が考えられる。しかし、装置の利用状況は映像を表示している最中に大きく変化することはないため、本実施形態のように光源の減光量を利用情報に基づいて制限する静的な制御手法を採用しても上記効果を十分に得ることができる。むしろ制御が容易となる分、コスト的に有利となる。
【００４０】
（第２実施形態）
次に、図１０，図１１を参照しながら、本発明の第２実施形態に係る投射型表示装置について説明する。なお、本実施形態において、上記第１実施形態と同様の部位については同じ符号を付し、その説明を省略する。
【００４１】
図１０は本実施形態の投射型表示装置の制御装置７０の構成を示すブロック図である。本実施形態は、周囲の明るさを利用情報として検出し、この明るさに応じて減光範囲を自動的に設定できるようにしたものである。すなわち、本実施形態では外部入力装置として、映像信号を入力するための信号入力装置１０１の他に、視聴環境の明るさを検知する光センサ（利用情報入力手段）１０３が設けられている。光センサ１０３で検出される環境の明るさとしては、投射型表示装置近傍の明るさ、スクリーン近傍の明るさのいずれでもよい。この視聴環境の明るさに関する情報は環境光量信号として制御装置７０に入力される。
【００４２】
制御装置７０は、映像信号及び環境光量信号に基づいて各光源１０Ｒ〜１０Ｂの光量Ｔ及び各色の映像信号の伸長量Ｐ０を設定する画像解析部（調光手段）７１と、この画像解析部７１で設定された光量調節量に基づいて光源１０Ｒ〜１０Ｂを駆動する光源制御ドライバ７４と、設定された伸長量Ｐ０に基づいて各色の映像信号を伸長する画像処理部（映像信号伸長手段）７２と、この伸長された各色の映像信号をそれぞれ赤色光用液晶ライトバルブ３０Ｒ（図５中のＲパネル），緑色光用液晶ライトバルブ３０Ｇ（同、Ｇパネル），青色光用液晶ライトバルブ３０Ｂ（同、Ｂパネル）に供給するパネルドライバ７３とを備えている。
【００４３】
画像解析部７１は、図１１に示すように、ヒストグラム作成部７１ａとヒストグラム解析部７１ｂと明るさ検出部７１ｃと光量設定部７１ｄとを備えている。画像解析部７１ａでは、信号入力部１０１から映像信号が入力されると、ヒストグラム作成部７１ａによって単位時間（１フレーム期間）当たりの信号に含まれる画素データの、階調数毎の出現度数分布（ヒストグラム）が作成される。ヒストグラム解析部７１ｂは、このヒストグラムに基づいて映像の明るさを検出し、各光源１０Ｒ〜１０Ｂの光量を設定する。すなわち、ヒストグラム解析部７１ｂは本発明の光量設定手段として機能する。なお、ヒストグラムを用いた明るさの検出方法、及び、ヒストグラム解析部７１ｂでの光量Ｔ０の設定方法については上記第１実施形態と同様の方法を用いることができる。
【００４４】
一方、明るさ検出部７１ｃは、減光が許容される範囲（減光範囲）をＬＵＴ（ルックアップテーブル）を参照しながら環境光量信号に基づいて設定する。ＬＵＴは、視聴環境の明るさ（環境光量）と許容される最大の減光量（最大減光量）Ｒｍとの関係を規定した制御テーブルであり、減光範囲は、減光量がこの最大減光量Ｒｍ以下となる範囲として設定される。このＬＵＴでは、例えば図１２に示すように、環境光量が大きくなるほど最大減光量Ｒｍは小さく規定され、視聴環境が明るいときに減光範囲が狭くなるようになっている。すなわち、明るさ検出手段７１ｃは、本発明の明るさ検出手段及び減光範囲設定手段として機能する。
【００４５】
そして、設定された光量Ｔ０及び減光範囲は光量設定部７１ｄに入力され、ここで実際の光源制御に用いられる光量Ｔと、映像信号の伸長量Ｐ０とが決定される。なお、光量Ｔ及び伸長量Ｐ０の設定方法については上記第１実施形態と同様の方法を用いることができる。
【００４６】
したがって、本実施形態では環境光量が大きい場合には映像は通常よりも全体的に明るく表示されため、明るい部屋でも輝度不足を感じることなく高品質な投射映像を楽しむことができる。
【００４７】
（第３実施形態）
次に、図１３，図１４を参照しながら、本発明の第３実施形態に係る投射型表示装置について説明する。なお、本実施形態において、上記第１実施形態と同様の部位については同じ符号を付し、その説明を省略する。
【００４８】
図１３は本実施形態の投射型表示装置の制御装置８０の構成を示すブロック図である。本実施形態は、スクリーンゲインを環境光量として検出し、このゲインに応じて減光範囲を自動的に設定できるようにしたものである。すなわち、本実施形態では外部入力装置として、映像信号を入力するための信号入力装置１０１の他に、スクリーンからの反射光量を検知するための光センサ（利用情報入力手段）１０４が設けられている。そして、映像表示を行なう前に、スクリーンに例えば全面白の映像を表示し、光センサ１０４により、この映像の反射光量を測定する。光センサ１０４で検出されたスクリーンからの反射光量に関する情報は反射光量信号として制御装置８０に入力される。
【００４９】
制御装置８０は、映像信号及び反射光量信号に基づいて各光源１０Ｒ〜１０Ｂの光量Ｔ及び各色の映像信号の伸長量Ｐ０を設定する画像解析部（調光手段）８１と、この画像解析部８１で設定された光量調節量に基づいて光源１０Ｒ〜１０Ｂを駆動する光源制御ドライバ８４と、設定された伸長量Ｐ０に基づいて各色の映像信号を伸長する画像処理部（映像信号伸長手段）８２と、この伸長された各色の映像信号をそれぞれ赤色光用液晶ライトバルブ３０Ｒ（図５中のＲパネル），緑色光用液晶ライトバルブ３０Ｇ（同、Ｇパネル），青色光用液晶ライトバルブ３０Ｂ（同、Ｂパネル）に供給するパネルドライバ８３とを備えている。
【００５０】
画像解析部８１は、図１４に示すように、ヒストグラム作成部８１ａとヒストグラム解析部８１ｂとゲイン検出部８１ｃと光量設定部８１ｄとを備えている。画像解析部８１ａでは、信号入力部１０１から映像信号が入力されると、ヒストグラム作成部８１ａによって単位時間（１フレーム期間）当たりの信号に含まれる画素データの、階調数毎の出現度数分布（ヒストグラム）が作成される。ヒストグラム解析部８１ｂは、このヒストグラムに基づいて映像の明るさを検出し、各光源１０Ｒ〜１０Ｂの光量を設定する。すなわち、ヒストグラム解析部８１ｂは本発明の光量設定手段として機能する。なお、ヒストグラムを用いた明るさの検出方法、及び、ヒストグラム解析部８１ｂでの光量Ｔ０の設定方法については上記第１実施形態と同様の方法を用いることができる。
【００５１】
一方、ゲイン検出部８１ｃは反射光量信号に基づいてスクリーンゲインを検出する。そして、減光が許容される範囲（減光範囲）を、ＬＵＴ（ルックアップテーブル）を参照しながらスクリーンゲインに基づいて設定する。ＬＵＴはスクリーンゲインと許容される最大の減光量（最大減光量）Ｒｍとの関係を規定した制御テーブルである。このＬＵＴでは、スクリーンゲインが大きくなるほど最大減光量Ｒｍは大きく規定され、コントラストが低く表示される状態において減光範囲が狭くなるようになっている。そして、減光範囲は、減光量がこの最大減光量Ｒｍ以下となる範囲として設定される。すなわち、ゲイン検出部８１ｃは本発明のゲイン検出手段及び減光範囲設定手段として機能する。
【００５２】
そして、設定された光量Ｔ０及び減光範囲は光量設定部８１ｄに入力され、ここで実際の光源制御に用いられる光量Ｔと、映像信号の伸長量Ｐ０とが決定される。なお、光量Ｔ及び伸長量Ｐ０の設定方法については上記第１実施形態と同様の方法を用いることができる。
【００５３】
したがって、本実施形態ではスクリーンゲインが大きいほど減光量を大きくしているため、スクリーンの違いによる映像品質の低下を防止することができる。つまり、調光による階調再現効果は、投射映像のコントラストが大きくなる程大きくなる。このような映像のコントラストは表示装置自体の性能だけでなく、それを投射するスクリーンによっても変わり、例えばスクリーンゲインが大きいものでは映像のコントラストは大きく、逆にゲインの小さいものでコントラストは小さくなる。このため、本構成のようにスクリーンゲインに応じて調光量を調節することで、スクリーンの違いに依らずに常に同じ品質の投射映像を得ることができる。
【００５４】
なお、本発明の技術範囲は上記実施の形態に限定されるものではなく、本発明の趣旨を逸脱しない範囲において種々の変更を加えることが可能である。
例えば、本実施形態ではＬＥＤ等からなる３つの色光源を用い、それぞれの発光量や発光期間を制御することで光量を調節したが、この代わりに、光源から射出される光の光軸上に遮光板や液晶装置等からなる調光手段を設け、光源からの射出光の光量をこの調光手段によって絞ることで光量を調節してもよい。具体的には液晶装置の光透過率を調節する、液晶装置の光透過期間を調節する、遮光板の移動量を調節する、遮光板の移動期間を調節する等の方法により、射出光量を調節することができる。
【００５５】
また、図１に示した投射型表示装置の構成はほんの一例であり、これ以外の構成を採ることもできる。具体的には投射型表示装置を、光源と、この光源から射出された光を複数の色光に分離する色分離手段と、分離された各色に対応して設けられた光変調手段と、各光変調手段により変調された色光を合成する色合成手段と、色合成手段で合成された光を投射する投射手段とを備えた構成としてもよい。この場合、光源を直接制御して光量調節を行なう、或いは、光源と光変調手段との間又は光変調手段の射出側に調光手段を設けて光量調節を行なう。
【００５６】
さらに、上記実施の形態では光変調手段として液晶ライトバルブを用いた投射型表示装置の例を挙げたが、光変調手段としてＤＭＤを用いた投射型表示装置に本発明を適用することも可能である。
【図面の簡単な説明】
【図１】  本発明の第１実施形態の投射型表示装置の概略構成を示す図。
【図２】  同、投射型表示装置の制御装置の構成を示すブロック図。
【図３】  同、制御装置の要部構成を示すブロック図。
【図４】  同、投射型表示装置において、映像信号から光源制御信号を決定する第１の方法を説明するための図。
【図５】  同、第２の方法を説明するための図。
【図６】  同、第３の方法を説明するための図。
【図７】  同、投射型表示装置において、光源制御信号から画像制御信号を決定する方法を説明するための図。
【図８】  同、画像制御信号を決定する方法を説明するための図。
【図９】  同、画像制御信号を決定する方法を説明するための図。
【図１０】  本発明の第２実施形態の投射型表示装置の制御装置の構成を示すブロック図。
【図１１】  同、制御装置の要部構成を示すブロック図。
【図１２】  同、投射型表示装置において、環境光量信号から最大減光量を決定する方法を説明するための図。
【図１３】  本発明の第３実施形態の投射型表示装置の制御装置の構成を示すブロック図。
【図１４】  同、制御装置の要部構成を示すブロック図。
【符号の説明】
１０Ｒ，１０Ｇ，１０Ｂ…光源、２０Ｒ，２０Ｇ，２０Ｂ…液晶ライトバルブ（光変調手段）、４０…投射手段、６１…画像解析部（調光手段）、６１ｂ，７１ｂ，８１ｂ…ヒストグラム解析部（光量設定手段）、６１ｃ…減光範囲設定手段、６２，７２，８２…画像処理部（映像信号伸長手段）、７１ｃ…明るさ検出手段（減光範囲設定手段）、８１ｃ…ゲイン検出手段（減光範囲設定手段）、１０２，１０３，１０４…利用情報入力手段、Ｐ０，Ｐｍ，Ｐ′…伸長量
【図１】
0003661692.tif 000002
【図２】
0003661692.tif 000003
【図３】
0003661692.tif 000004
【図４】
0003661692.tif 000005
【図５】
0003661692.tif 000006
【図６】
0003661692.tif 000007
【図７】
0003661692.tif 000008
【図８】
0003661692.tif 000009
【図９】
0003661692.tif 000010
【図１０】
0003661692.tif 000011
【図１１】
0003661692.tif 000012
【図１２】
0003661692.tif 000013
【図１３】
0003661692.tif 000014
【図１４】
0003661692.tif 000015